(57)【要約】      （修正有）【課題】特に常時携帯して使用できると共に、片手で簡単に出し入れ操作ができ、操作中にインキで手や衣服などを汚すことがない携帯式印章を提供する。【解決手段】中空のホルダー１０内に印字体３４を備え、活動部材２０が枢設されるスタンプ部材３０が組み合わされ、そのスタンプ部材３０と活動部材２０との枢設個所にトーションばね３３が組み合わされると共に、その上にキャップ５０が被嵌され、そのキャップ５０の内部に活動部材２０が枢設されるスタンプ部材３０の一部を収容することにより、携帯式印章を構成させ、ホルダー１０内に位置する活動部材２０のブロック２１の内部にスプリング４２を押圧するための、制御ボタン４１が、ホルダー１０と活動部材２０との間において長穴１２を沿うように移動する。【選択図】    図１
2004237457.tif 000002
【特許請求の範囲】
【請求項１】
ホルダー（１０）と、活動部材（２０）と、スタンプ部材（３０）と、制御部材（４０）と、キャップ（５０）とから成り、
ホルダー（１０）は、開口を有するケース体であり、該開口側に外方へ延出する当接プレート（１１）が設けられると共に、正面に長手方向へ伸びる長穴（１２）が形成され、該長穴（１２）の両端にそれぞれ、孔径が長穴（１２）の幅より大きい第一固定孔（１３）及び第二固定孔（１４）が形成され、
活動部材（２０）は、その一端に設けられ、ホルダー（１０）内に組み合わされるブロック（２１）と、そのブロック（２１）の側縁から延出する連結プレート（２２）とから構成され、そのブロック（２１）内には収容溝（２３）及び該収容溝（２３）から外部まで貫通する位置決め孔（２４）が形成され、その位置決め孔（２４）は、長穴（１２）の幅より大きい孔径を有すると共に、連結プレート（２２）の末端は枢設孔を有する枢設部（２５）を備え、
スタンプ部材（３０）は、その裏面が枢軸（３１）によって活動部材（２０）における連結プレート（２２）の末端の枢設部（２５）に枢設されると共に、該枢軸（３１）にトーションばね（３３）が組み合わされ、そのトーションばね（３３）の両端は、それぞれスタンプ部材（３０）の裏面及び連結プレート（２２）の側面に当接され、更に、スタンプ部材（３０）の正面にインキ吸蔵体が設けられ、そのインキ吸蔵体の外側に印字体（３４）が取付けられ、
制御部材（４０）は、制御ボタン（４１）及びスプリング（４２）を有し、制御ボタン（４１）は、ホルダー（１０）の長穴（１２）を介して、収容溝（２３）内に設置されるスプリング（４２）を押圧できるように活動部材（２０）の位置決め孔（２４）に嵌め込まれると共に、その一端には押圧部（４１１）を有し、中段には活動部材（２０）の位置決め孔（２４）と対応する位置決め部（４１２）を有し、押圧部（４１１）と位置決め部（４１２）との間にはホルダー（１０）における長穴（１２）と対応する括れ部（４１３）を有し、更に、制御ボタン（４１）の他端には活動部材（２０）の位置決め孔（２４）を貫く付勢部（４１４）が設けられ、その付勢部（４１４）は収容溝（２３）内に設置されるスプリング（４２）の上部に付勢され、
キャップ（５０）は、ホルダー（１０）の開口を塞ぐためのケース体であり、その内部にスタンプ部材（３０）を収容できることを特徴とする、携帯式印章。
【請求項２】
前記活動部材（２０）の位置決め孔（２４）は、孔径の大きい外穴（２４１）及び孔径の小さい内穴（２４２）により構成される段差孔であり、その内、外穴（２４１）の孔径は、ホルダー（１０）における長穴（１２）の幅より大きく、且つ、位置決め孔（２４）の孔径と対応しており、また、制御ボタン（４１）における付勢部（４１４）は、末端に外側へ延出する掛止凸部（４１５）が設けられると共に、径方向にスリット（４１６）が形成されることにより内方へ縮む弾性を持たせ、これによって、付勢部（４１４）は、活動部材（２０）における位置決め孔（２４）の内穴（２４２）を貫き、掛止凸部（４１５）により内穴（２４２）の外縁に掛止されることを特徴とする、請求項１に記載の携帯式印章。
【請求項３】
前記制御ボタン（４１）における付勢部（４１４）の末端に受けブロック（４３）が設けられることにより、付勢部（４１４）が受けブロック（４３）を介してスプリング（４２）に間接付勢されることを特徴とする、請求項１又は２に記載の携帯式印章。
【発明の詳細な説明】
【０００１】
【発明の属する技術分野】
本発明は、特に常時携帯して使用できると共に、片手で簡単に出し入れ操作ができ、更に、操作中にインキで手や衣服などを汚すことがない携帯式印章に関するものである。
【０００２】
【従来の技術】
従来の印章は、捺印後に印面にインキが残留するため、使用者の手や衣服を汚し易いという問題があった。故に、その後、ケースにスタンプ部材とインキが収納されるタイプの印章が開発された。しかし、この設計では、捺印時にわざわざケースを開けて印章を取出し、その後、印面をスタンプ台に接触させて印面にインキをつけてからでなければ、捺印できないため、使用上非常に不便であった。
【０００３】
上記の問題に鑑み、その後、数多くの携帯式印章が開発された。例えば、中華民国実用新案公告第５０９１４５号「携帯式印章」は、フレーム部材、ホルダー、出入パネル、トーションばね、スタンプ部材及び枠部材から成り、その内、フレーム部材のベース上端に架設プレートが設置され、架設プレートの上端にスリットが形成されると共に、出入パネルの一端に収容溝が形成され、収容溝内に枢軸により架設プレートが枢設され、更に、ホルダーの内周面に複数方向に向って案内凸部が設けられ、スタンプ部材内にインキ吸蔵体及び印字体などが設けられる。このようにすれば、出入パネルをホルダー内に挿入し、案内溝で案内凸部上を移動させることができると共に、スタンプ部材をホルダー内に完全に収容することができるので、使用時や操作時において、手や衣服を汚す心配はない。また、トーションばねは予め出入パネルにより捻じられて力が蓄積されているので、印章を出す時、出入パネルが９０度回転すると共に、印面上にインキがつき、捺印が可能な状態となる。
【０００４】
【発明が解決しようとする課題】
上述したように、前記従来の携帯式印章では、ホルダーを外した時、スタンプ部材がトーションねじの捻じれの蓄積の開放により９０度回転して、印面に対して自動的にインキがつくように設計されているが、このような設計では、スタンプ部材を収容する時、両手によってスタンプ部材を折畳んでホルダー内に収容する必要があるので、操作上非常に不便であると共に、操作中に使用者の手が、インキがついた印面に接触して手を汚してしまうという欠点もある。
【０００５】
【課題を解決するための手段】
本発明は、ホルダー（１０）と、活動部材（２０）と、スタンプ部材（３０）と、制御部材（４０）と、キャップ（５０）とから成り、ホルダー（１０）は、開口を有するケース体であり、該開口側に外方へ延出する当接プレート（１１）が設けられると共に、正面に長手方向へ伸びる長穴（１２）が形成され、該長穴（１２）の両端にそれぞれ、孔径が長穴（１２）の幅より大きい第一固定孔（１３）及び第二固定孔（１４）が形成され、活動部材（２０）は、その一端に設けられ、ホルダー（１０）内に組み合わされるブロック（２１）と、そのブロック（２１）の側縁から延出する連結プレート（２２）とから構成され、そのブロック（２１）内には収容溝（２３）及び該収容溝（２３）から外部まで貫通する位置決め孔（２４）が形成され、その位置決め孔（２４）は、長穴（１２）の幅より大きい孔径を有すると共に、連結プレート（２２）の末端は枢設孔を有する枢設部（２５）を備え、スタンプ部材（３０）は、その裏面が枢軸（３１）によって活動部材（２０）における連結プレート（２２）の末端の枢設部（２５）に枢設されると共に、該枢軸（３１）にトーションばね（３３）が組み合わされ、そのトーションばね（３３）の両端は、それぞれスタンプ部材（３０）の内面及び連結プレート（２２）の側面に当接され、更に、スタンプ部材（３０）の正面にインキ吸蔵体が設けられ、そのインキ吸蔵体の外側に印字体（３４）が取付けられ、制御部材（４０）は、制御ボタン（４１）及びスプリング（４２）を有し、制御ボタン（４１）は、ホルダー（１０）の長穴（１２）を介して、収容溝（２３）内に設置されるスプリング（４２）を押圧できるように活動部材（２０）の位置決め孔（２４）に嵌め込まれると共に、その一端には押圧部（４１１）を有し、中段には活動部材（２０）の位置決め孔（２４）と対応する位置決め部（４１２）を有し、押圧部（４１１）と位置決め部（４１２）との間にはホルダー（１０）における長穴（１２）と対応する括れ部（４１３）を有し、更に、制御ボタン（４１）の他端には活動部材（２０）の位置決め孔（２４）を貫く付勢部（４１４）が設けられ、その付勢部（４１４）は収容溝（２３）内に設置されるスプリング（４２）の上部に付勢され、キャップ（５０）は、ホルダー（１０）の開口を塞ぐためのケース体であり、その内部にスタンプ部材（３０）を収容できることを特徴とする携帯式印章、を提供する。
【０００６】
【作用】
本発明は上記の課題を解決するものであり、中空のホルダー内に印字体を備え、活動部材が枢設されるスタンプ部材を組み合せ、そのスタンプ部材と活動部材との枢設個所にトーションばねを組み合わせると共に、その上にキャップを被嵌して、そのキャップの内部に活動部材が枢設されるスタンプ部材の一部を収容することにより、携帯式印章を構成させる。更に、この構成によれば、ホルダーの開口側に外方へ延出する当接プレートが設けられると共に、正面に長穴が形成され、その長穴の両端に孔径の大きい固定孔が形成され、また、ホルダー内に位置する活動部材のブロックの内部にスプリングを押圧するための、制御ボタンが組み合わされ、この制御ボタンは、長穴を介してホルダー外に突出すると共に、ホルダーと活動部材との間において長穴を沿うように移動する。故に、使用者は、片手で制御ボタンを操作するだけで、手や衣服などを汚さずにスタンプ部材の出し入れ作業を行なうことができる。
【０００７】
以下、添付図面を参照して本発明の好適な実施の形態を詳細に説明する。
【０００８】
図１は本発明に係る携帯式印章の分解斜視図であり、図２は本発明に係る携帯式印章の側面断面図であり、図３は本発明に係る携帯式印章の一部拡大断面図であり、図４は本発明に係る携帯式印章の制御ボタンを押圧してスタンプ部材をスライドさせた状態を示す一部拡大断面図であり、図５は本発明に係る携帯式印章のホルダーからキャップを外した状態を示す側面断面図であり、図６は本発明に係る携帯式印章のスタンプ部材を外部までスライドさせた状態を示す側面断面図であり、図７は本発明に係る携帯式印章のスタンプ部材が回転する状態を示す側面断面図であり、図８は本発明に係る携帯式印章のスタンプ部材が所定の位置まで回転した状態を示す側面断面図である。
【０００９】
図１及び図２に示すように、本発明の携帯式印章は、ホルダー（１０）と、活動部材（２０）と、スタンプ部材（３０）と、制御部材（４０）と、キャップ（５０）とから成り、
前記ホルダー（１０）は、閉口及び開口を有するケース体であり、該開口側に外方へ延出する当接プレート（１１）が設けられると共に、正面に長手方向へ伸びる長穴（１２）が形成され、その長穴（１２）の両端にそれぞれ、孔径が長穴（１２）の幅より大きい第一固定孔（１３）及び第二固定孔（１４）が形成され、長穴（１２）、第一固定孔（１３）及び第二固定孔（１４）の周縁に傾斜面（１８）が形成される。
【００１０】
前記活動部材（２０）は、その一端に設けられ、ホルダー（１０）内に組み合わされるブロック（２１）と、そのブロック（２１）の側縁から延出する連結プレート（２２）とから構成され、そのブロック（２１）内には収容溝（２３）及び該収容溝（２３）から外部まで貫通する位置決め孔（２４）が形成され、その位置決め孔（２４）は、孔径の大きい外穴（２４１）及び孔径の小さい内穴（２４２）により構成され、その内、外穴（２４１）の孔径は、ホルダー（１０）における長穴（１２）の幅より大きく、且つ、第一固定孔（１３）及び第二固定孔（１４）の孔径と対応しており、連結プレート（２２）の末端は枢設孔を有する枢設部（２５）を備える。
【００１１】
前記スタンプ部材（３０）は、その裏面が枢軸（３１）によって活動部材（２０）における連結プレート（２２）の末端の枢設部（２５）に枢設され、スタンプ部材（３０）の背面における枢設個所に連結プレート（２２）と対応する凹溝（３２）が形成されると共に、該枢軸（３１）にトーションばね（３３）が組み合わされ、そのトーションばね（３３）の両端は、それぞれスタンプ部材（３０）の裏面及び連結プレート（２２）の側面に当接され、更に、スタンプ部材（３０）の正面にインキ吸蔵体が設けられ、そのインキ吸蔵体の外側に印字体（３４）が取付けられる。
【００１２】
前記制御部材（４０）は、制御ボタン（４１）及びスプリング（４２）を有し、制御ボタン（４１）は、ホルダー（１０）の長穴（１２）を介して、収容溝（２３）内に設置されるスプリング（４２）を押圧できるように活動部材（２０）の位置決め孔（２４）に嵌め込まれると共に、その一端には押圧部（４１１）を有し、中段には活動部材（２０）における位置決め孔（２４）の外穴（２４１）の形状と対応する位置決め部（４１２）を有し、押圧部（４１１）と位置決め部（４１２）との間にはホルダー（１０）における長穴（１２）と対応する括れ部（４１３）を有し、更に、制御ボタン（４１）の他端には活動部材（２０）における位置決め孔（２４）の内穴（２４２）から収容溝（２３）まで貫き、スプリング（４２）を押圧する付勢部（４１４）が設けられ、制御ボタン（４１）における付勢部（４１４）は、末端に外側へ延出する掛止凸部（４１５）が設けられると共に、径方向にスリット（４１６）が形成されることにより内方へ縮む弾性を持たせ、これによって、付勢部（４１４）は、活動部材（２０）における位置決め孔（２４）の内穴（２４２）を貫き、掛止凸部（４１５）により内穴（２４２）の外縁に掛止され、また、制御ボタン（４１）における付勢部（４１４）の末端に受けブロック（４３）が設けられることにより、付勢部（４１４）が、受けブロック（４３）を介してスプリング（４２）に間接付勢される。
【００１３】
前記キャップ（５０）は、ホルダー（１０）の開口側に組み合わされると共に、当接プレート（１１）及びスタンプ部材（３０）を収容し、その側面にはクリップ（５１）が設けられる。
【００１４】
更に、前記ホルダー（１０）の内壁と活動部材（２０）におけるブロック（２１）の側壁に、長手方向に伸び、且つ対応し合う、活動部材（２０）をホルダー（１０）において摺動させるための、案内溝（１５）及び案内凸部（２１１）が設けられ、或いは、前記ホルダー（１０）における当接プレート（１１）の裏面と活動部材（２０）の正面に、長手方向に伸び、且つ対応し合う、活動部材（２０）をホルダー（１０）において摺動させるための、摺動溝（１６）及び案内部（２２１）が設けられ、それにより、活動部材（２０）をホルダー（１０）の長手方向に沿ってスライドさせる。
【００１５】
また、前記ホルダー（１０）とキャップ（５０）との対応する接触面に、互いに対応し合う掛止凹部（１７）及び掛止凸部（５２）が設けられると共に、キャップ（５０）がホルダー（１０）に嵌め込まれて、掛止凹部（１７）と掛止凸部（５２）とが係合することにより、完全に固定される。
【００１６】
図２及び図３に示すように、本発明の携帯式印章が収容されている状態においては、印字体（３４）を有するスタンプ部材（３０）は、活動部材（２０）における連結プレート（２２）の側面と平面接触するように折畳まれて、一緒にホルダー（１０）内に収容されると共に、その上からキャップ（５０）が被嵌される。この時、スタンプ部材（３０）と活動部材（２０）との間のトーションばね（３３）は捻じれが蓄積され、活動部材（２０）におけるブロック（２１）の位置決め孔（２４）内に配置される制御ボタン（４１）は、スプリング（４２）の上面に位置すると共に、位置決め部（４１２）がホルダー（１０）の第一固定孔（１３）及び活動部材（２０）における位置決め孔（２４）の外穴（２４１）内に位置決めされ、その位置決め部（４１２）は、外径をホルダー（１０）の長穴（１２）より大きくすることにより固定され、印字体（３４）を備えるスタンプ部材（３０）が位置決められる。
【００１７】
また、図４及び図５に示すように、本発明の携帯式印章で捺印をしたい場合は、キャップ（５０）を取外し、制御ボタン（４１）を押圧して、スプリング（４２）を圧縮させると共に、位置決め部（４１２）をホルダー（１０）の第一固定孔（１３）から離脱させ、片手を用いて制御ボタン（４１）によりホルダー（１０）内のスタンプ部材（３０）及び活動部材（２０）をホルダー（１０）の外部までスライドさせる。更に、図５乃至図７に示すように、上記一連の操作を行なう場合、スタンプ部材（３０）をホルダー（１０）から離脱させると、直ちにトーションばね（３３）における蓄積された捻じれが回復し、図８に示すように、スタンプ部材（３０）が自動的にホルダー（１０）における当接プレート（１１）の末端の制限を受けながら、当接プレート（１１）に対し垂直の状態となるまで回転する。その後、ホルダー（１０）の第一固定孔（１３）から長穴（１２）に沿って移動してきた制御ボタン（４１）が第二固定孔（１４）において開放されて、制御ボタン（４１）がスプリング（４２）上に当接状態となると共に、位置決め部（４１２）がホルダー（１０）の第二固定孔（１４）及び活動部材（２０）における位置決め孔（２４）の外穴（２４１）内に位置決めされ、捺印が可能な状態となる。
【００１８】
捺印を終えた後は、再び制御ボタン（４１）を押圧して片手でホルダー（１０）内まで引張るようにスライドさせる。この時、スタンプ部材（３０）は、ホルダー（１０）の当接プレート（１１）の側縁に押されて自動的に活動部材（２０）の側面と平行状態となるまで折畳まれながらホルダー（１０）内に収容される。そして、最後にキャップ（５０）をホルダー（１０）の一端に嵌め込んで印章の収容を完了させる。これにより、印章の携帯及び使用を容易にすることができる。
【００１９】
【発明の効果】
本発明は上記の構成を有するので、次のような効果を達成できる。
１．  本発明の携帯式印章を使用する時は、キャップをホルダーから取外した後、片手で制御ボタンを操作することにより、活動部材が枢設されたスタンプ部材を自動的に展開させることができると共に、使用後は、スタンプ部材を自動的に折畳んでホルダー内に収容できるので、操作上非常に便利である。
２．  本発明の携帯式印章は、片手の操作によりスタンプ部材の収容・展開を行なうことができるので、操作中においてインキが付いた印字体が手や衣服に接触することはないので、手や衣服を汚す心配もない。
【図面の簡単な説明】
【図１】本発明に係る携帯式印章の分解斜視図である。
【図２】本発明に係る携帯式印章の側面断面図である。
【図３】本発明に係る携帯式印章の一部拡大断面図である。
【図４】本発明に係る携帯式印章の制御ボタンを押圧してスタンプ部材をスライドさせた状態を示す一部拡大断面図である。
【図５】本発明に係る携帯式印章のホルダーからキャップを外した状態を示す側面断面図である。
【図６】本発明に係る携帯式印章のスタンプ部材を外部までスライドさせた状態を示す側面断面図である。
【図７】本発明に係る携帯式印章のスタンプ部材が回転する状態を示す側面断面図である。
【図８】本発明に係る携帯式印章のスタンプ部材が所定の位置まで回転した状態を示す側面断面図である。
【符号の説明】
１０      ホルダー
１１      当接プレート
１２      長穴
１３      第一固定孔
１４      第二固定孔
１５      案内溝
１６      摺動溝
１７      掛止凹部
１８      傾斜面
２０      活動部材
２１      ブロック
２１１    案内凸部
２２      連結プレート
２２１    案内部
２３      収容溝
２４      位置決め孔
２４１    外穴
２４２    内穴
２５      枢設部
３０      スタンプ部材
３１      枢軸
３２      凹溝
３３      トーションばね
３４      印字体
４０      制御部材
４１      制御ボタン
４１１    押圧部
４１２    位置決め部
４１３    括れ部
４１４    付勢部
４１５    掛止凸部
４１６    スリット
４２      スプリング
４３      受けブロック
５０      キャップ
５１      クリップ
５２      掛止凸部
【図１】
2004237457.tif 000003
【図２】
2004237457.tif 000004
【図３】
2004237457.tif 000005
【図４】
2004237457.tif 000006
【図５】
2004237457.tif 000007
【図６】
2004237457.tif 000008
【図７】
2004237457.tif 000009
【図８】
2004237457.tif 000010